(57)【要約】      （修正有）【課題】手で持ち運び易くかつ採糞が容易なペット用の糞採り具を提供する。【解決手段】手で持ちやすい略半円筒形状とし、この略半円筒状の両先端部を糞つかみ片とし、手で持って糞を採るとき適時撓んで糞を挟み採ることが出来、使用しないときは復元することを特徴とした糞採り具である。両先端のつかみ片の形状をお互いに向かい合い、合わさるような形状とすることで、採糞が容易となる場合がある。また、該両先端のつかみ片と平行に、少許折り曲げて成形することで、狭持部が変形することなく、より正確に糞を回収し易くなる。【選択図】図２
0003144210.tif 000002
【実用新案登録請求の範囲】
【請求項１】
ペットの糞をつかみ取る糞採り具であって、復元可能な素材を用い、手で握りやすい略半円筒状とし、この略半円筒状の両先端部を糞つかみ片としたことを特徴とする糞採り具。
【請求項２】
前記一対のつかみ片を向かい合うように少許折り曲げたことを特徴とした請求項１記載の糞採り具。
【請求項３】
前記一対のつかみ片のそれぞれの先端部をお互いに合致する凹凸状に形成したことを特徴とした請求項１記載の糞採り具。
【考案の詳細な説明】
【技術分野】
【０００１】
本考案は、動物が散歩をし、糞をしたときに使用する糞採り具であり、手で持ちやすい略半円筒形状とし、この略半円筒状の両先端部を糞つかみ片とし、手で持って糞を採るとき適時撓んで糞を挟み採ることが出来、使用しないときは復元することを特徴とした糞採り具である。
【背景技術】
【０００２】
実開６３−１６９８６４号公報に開示された「動物用汚物の掬い器」は、一対の折曲げ片と汚物掴み片を設けて角箱状とし、且つ閉鎖時開口部を互いに突き合わせる一対の収容体に、収容体を開閉自在に連結する折り返し連継部を一体に備えてカスタネット状としたことを特徴とする動物用汚物の掬い器である。
【特許文献１】実開６３−１６９８６４号公報
【考案の開示】
【考案が解決しようとする課題】
【０００３】
前記実開６３−１６９８６４号公報記載の「動物用汚物の掬い器」は、角箱状、又は断面半円弧状に形成されているが、断面に一対の折り曲げ片を設けているため、汚物を収容するとき角箱状、又は半円弧状の動物用汚物の掬い器は一対の折り曲げ片が合わさり、それ以上内側に合わせることが出来ない。又、一対の折り曲げ片が合わさる形状のため、動物用汚物の掬い器は適時撓んだり復元したりする動作はできない。
【課題を解決するための手段】
【０００４】
本考案は、前記目的に添うため、糞を収容するときに使用する糞採り具を手で握りやすい形状とし、断面に一対の折り曲げ片がないため糞を採るとき適時撓んで糞が挟みやすく、使用しない時は復元して元の形状にもどりやすい。
又、糞採り具の素材によっては、断面略半円筒状に成形され、動物用糞採り具の両先端のつかみ片近傍に糞採り具先端のつかみ片と平行に少許折り曲げて成形すれば挟持部が変形することなく、より正確に糞を回収することができる。
【０００５】
又、糞採り具は、両先端のつかみ片の形状をお互いに向かい合い、合わさるような形状にすることにより糞を挟み採る場所によっては糞が採りやすくなる。その一例として凹凸状にすれば糞をする場所によっては糞を挟み採りやすい。
【考案の効果】
【０００６】
本考案は、以下の記載されるような効果を奏する。
「糞採り具」は種種提案されているが、本考案の糞採り具は簡単で使いやすく適時撓むのでお年寄りから子供まで使用することができる。又、若い女性は爪にマニュキュアを塗ったり、付け爪をしたりしているが、直接紙かナイロン袋などで糞を採ると爪が地面に当たり痛むおそれがある。又、付け爪が剥がれるおそれがある。本考案はそのような心配はなく、又、糞のなま暖かい不快感と柔らかい手の感触を感じることもない。又、軟便などは糞採り具が適時撓むため挟みやすい効果もある。
【０００７】
又、動物用糞採り具の両先端のつかみ片近傍に糞採り具先端のつかみ片と平行に少許折り曲げて成形すれば挟持部が変形することなく、より正確に糞を回収することができる効果もある。又、素材に紙などを用いた場合つかみ片を内側に少許折り曲げることにより強度も増し、よりつかみやすくなる効果もある。
【０００８】
又、糞採り具は、両先端のつかみ片の形状をお互いに向かい合い、合わさるような凹凸状にすれば糞をする場所によっては糞を挟み採りやすい効果もある。又、糞採り具の形状をおもしろく、またはかわいくすれば子供はよろこんで使用し、糞をそのまま放置して帰ることを防ぐことができる効果もある。
【０００９】
又、大型犬などは人間の大人ほどの大きさの糞をするため、断面に一対の折り曲げ片があると収容しずらく最低人間なみの糞の長さを設けた糞採り具を用意しなければいけないが、断面に一対の折り曲げ片がないため融通がききやすい効果もある。
【考案を実施するための最良の形態】
【００１０】
本発明の実施例を図面に基づいて説明する。
図１は、請求項１記載の略半円筒状糞採り具1aのデザインの一例を示す斜視図である。
糞採り具の素材に復元可能な素材を用い、手で握りやすい略半円筒状とし、この略半円筒状の両先端部を糞つかみ片とした糞採り具である。
【００１１】
図２は、請求項２記載の一対のつかみ片2を向かい合うように少許折り曲げた糞採り具1bのデザインの一例を示す斜視図である。
糞採り具1bの素材に復元可能な素材を用い、両先端部の糞つかみ片2を少許内側に折り曲げることにより軟便なども挟み採りやすくなり、又、紙などの素材を用いた場合強度を保つことができ、より挟みやすくすることができる。
【００１２】
図３は、請求項２記載の一対のつかみ片を向かい合うように少許折り曲げた糞採り具のデザインの一例を示す平面図である。
【００１３】
図４は、請求項２記載の一対のつかみ片を向かい合うように少許折り曲げた糞採り具のデザインの一例を示す底面図である。
【００１４】
図５は、請求項２記載の一対のつかみ片を向かい合うように少許折り曲げた糞採り具のデザインの一例を示す正面図である。
【００１５】
図６は、請求項３記載の復元可能な素材を用い、一対のつかみ片3のそれぞれの先端部をお互いに合致する形状にした糞採り具1cの凹凸状のデザインにした一例を示す糞採り具底面図である。
【００１６】
図７は、請求項１記載の復元可能な素材を用い、立体的形状にし、模様を施した糞採り具1dのデザインの一例を示す斜視図である。その他のデザインとして他の動物の模様、骨の模様、手の模様、幾何学模様などいろいろなデザインにすることもでき、立体的にも耳を立たせたり目を飛び出させたり、おもしろいデザインにすることにより子供が喜んで使用し、糞をそのまま放置して帰ることを防ぐ効果もある。
【図面の簡単な説明】
【００１７】
【図１】略半円筒状糞採り具のデザインの一例を示す斜視図である。
【図２】一対のつかみ片を向かい合うように少許折り曲げた糞採り具のデザインの一例を示す斜視図である。
【図３】一対のつかみ片を向かい合うように少許折り曲げた糞採り具の平面図である。
【図４】一対のつかみ片を向かい合うように少許折り曲げた糞採り具の底面図である。
【図５】一対のつかみ片を向かい合うように少許折り曲げた糞採り具の正面図である。
【図６】一対のつかみ片のそれぞれの先端部をお互いに合致する形状にした凹凸状のデザインの一例を示す糞採り具の底面図である。
【図７】立体的形状にし、模様を施した糞採り具のデザインの一例を示す斜視図である。
【符号の説明】
【００１８】
1a、1b、1c、1d・・・糞採り具
2 ・・・・・・・・・少許折り曲げたつかみ片
3 ・・・・・・・・・合致する形状にした凹凸状のデザインの一例のつかみ片
【図１】
0003144210.tif 000003
【図２】
0003144210.tif 000004
【図３】
0003144210.tif 000005
【図４】
0003144210.tif 000006
【図５】
0003144210.tif 000007
【図６】
0003144210.tif 000008
【図７】
0003144210.tif 000009